(57)【要約】  透明超音波オーディオスピーカはエミッタとドライバとを含んでいる。エミッタは第１および第２透明導電シートを含むことができる。それら導電シートは基層と導電層とを含むことができ、透明であり得る。この透明超音波オーディオスピーカはコンテンツデバイスのディスプレイスクリーン上に配置されるように、またはその代用となるように形態化されることができる。【選択図】図３Ａ
2016539549.tif 000002
【特許請求の範囲】
【請求項１】
エミッタを備え、
前記エミッタは、
透明基材領域と透明導電領域とを備えた第１透明導電層と、
透明導電領域を備えた第２透明導電シートと、
を備える超音波オーディオスピーカ。
【請求項２】
アンプからオーディオ変調超音波キャリア信号を受領すべく結合されるように構成された２つの入力部と２つの出力部とを有したドライバ回路をさらに備え、第１出力部は前記第１透明導電シートの導電領域に結合され、第２出力部は前記第２透明導電シートの導電領域に結合される、請求項１記載の超音波オーディオスピーカ。
【請求項３】
前記第１透明導電シートは、基層および導電層を有したガラスシートを備える、請求項１記載の超音波オーディオスピーカ。
【請求項４】
前記第１導電ガラスシートは共振周波数を有し、前記変調超音波キャリア信号は前記第１導電ガラスシートの共振周波数にてキャリア周波数を有する、請求項３記載の超音波オーディオスピーカ。
【請求項５】
ドライバ回路は前記エミッタと並列である共振回路を形成するように接続されたインダクタを備える、請求項４記載の超音波オーディオスピーカ。
【請求項６】
前記第１透明導電シートの前記導電層は１００オーム／スクエア未満の抵抗を有する、請求項３記載の超音波オーディオスピーカ。
【請求項７】
前記第１透明導電シートの前記導電層は５０オーム／スクエア未満の抵抗を有する、請求項３記載の超音波オーディオスピーカ。
【請求項８】
前記第２透明導電シートは、基層および導電層を有したガラスシートを備える、請求項３記載の超音波オーディオスピーカ。
【請求項９】
前記第１透明導電シートは第１導電層を備えた第１ガラスシートを備え、前記第２透明導電シートは第２導電層を備えた第２ガラスシートを備える、請求項１記載の超音波オーディオスピーカ。
【請求項１０】
前記第１導電層と前記第２導電層とはそれぞれ前記第１ガラスシートおよび前記第２ガラスシート上に堆積された導電材料の層を備える、請求項９記載の超音波オーディオスピーカ。
【請求項１１】
前記第１導電層と前記第２導電層とはそれぞれ前記第１ガラスシートおよび前記第２ガラスシート内に拡散された導電材料の領域を備える、請求項９記載の超音波オーディオスピーカ。
【請求項１２】
前記第１導電層と前記第２導電層のそれぞれは、前記第１ガラスシートおよび前記第２ガラスシートの一方の上に堆積された導電材料の層と、前記第１ガラスシートおよび前記第２ガラスシートの他方内に拡散された導電材料の領域とを備える、請求項９記載の超音波オーディオスピーカ。
【請求項１３】
前記第１透明導電シートと前記第２透明導電シートとは導電ガラスの第１シートと第２シートとをそれぞれ備え、前記導電ガラスの第１シートと第２シートのそれぞれは導電領域を備える、請求項１記載の超音波オーディオスピーカ。
【請求項１４】
前記第１透明導電シートと前記第２透明導電シートとはそれぞれ可視スペクトルで９０％を超える透過率を有している、請求項１記載の超音波オーディオスピーカ。
【請求項１５】
前記第１透明導電シートは厚みが０．２０ミルから０．３０ミルの範囲であり、前記第２透明導電シートは厚みが１５ミルから２５ミルの範囲である、請求項１記載の超音波オーディオスピーカ。
【請求項１６】
前記ドライバ回路は前記エミッタに並列に接続されているインダクタを備える、請求項１記載の超音波オーディオスピーカ。
【請求項１７】
前記エミッタにバイアス電圧を印加するように構成されたバイアス電圧源をさらに備える、請求項１記載の超音波オーディオスピーカ。
【請求項１８】
前記バイアス電圧は２００ボルトから５００ボルトの範囲内である、請求項１７記載の超音波オーディオスピーカ。
【請求項１９】
前記バイアス電圧は前記エミッタの逆バイアスを克服するのに十分な大きさである、請求項１７記載の超音波オーディオスピーカ。
【請求項２０】
電子コンテンツデバイスであって、
電力源と、
前記電力源から電力を受領し、オーディオコンテンツを表す電気信号と表示コンテンツを表す電気信号とを発生させるように結合されるコンテンツエンジンと、
前記コンテンツエンジンに結合され、表示コンテンツを表す前記電気信号を受領し、表示コンテンツの視覚表現を発生させるよう構成されたディスプレイと、
前記ディスプレイ上に配置される透明超音波キャリアオーディオエミッタであって、
第１透明導電シートと、
第２透明導電シートと、
前記第１導電層と前記第２導電層との間に配置される透明絶縁層であって、前記第１透明導電シートと前記第２透明導電シートとが前記透明絶縁層と接触関係に配置される透明絶縁層と、を備える透明超音波キャリアオーディオエミッタと、
オーディオコンテンツを表す電気信号を受領するように結合されるアンプと、
前記アンプから超音波キャリア信号上に変調されたオーディオコンテンツを受領すべく結合されるように構成された２つの入力部と、２つの出力部とを有したドライバ回路であって、第１出力部が前記第１透明導電シートに結合され、第２出力部が前記第２透明導電シートに結合されるドライバ回路と、を備えることを特徴とする電子コンテンツデバイス。
【請求項２１】
前記第１透明導電シートと前記第２透明導電シートとの間に配置される絶縁層をさらに備える、請求項２０記載の電子コンテンツデバイス。
【請求項２２】
前記エミッタにバイアス電圧を印加するように構成されたバイアス電圧源をさらに備える、請求項２０記載の電子コンテンツデバイス。
【請求項２３】
前記バイアス電圧は２００ボルトから５００ボルトの範囲内である、請求項２２記載の電子コンテンツデバイス。
【請求項２４】
前記バイアス電圧は前記エミッタの逆バイアスを克服するのに十分な大きさである、請求項２２記載の電子コンテンツデバイス。
【請求項２５】
オーディオ変調超音波キャリア信号を発するように構成された透明超音波エミッタ。
【請求項２６】
スマートフォンであって、
電力源と、
前記電力源から電力を受領し、オーディオコンテンツを表す電気信号と表示コンテンツを表す電気信号とを発生させるように結合されるコンテンツエンジンと、
前記コンテンツエンジンに結合され、表示コンテンツを表す前記電気信号を受領し、表示コンテンツの視覚表現を発生させるよう構成されたディスプレイと、
前記ディスプレイ上に配置される透明超音波キャリアオーディオエミッタであって、
第１透明導電シートと、
第２透明導電シートと、
を備えた透明超音波キャリアオーディオエミッタと、
オーディオコンテンツを表す前記電気信号を受領するように結合されるアンプと、
前記アンプから超音波キャリア信号上に変調されたオーディオコンテンツを受領すべく結合されるように構成された２つの入力部と、２つの出力部とを有したドライバ回路であって、第１出力部が前記第１透明導電シートに結合され、第２出力部が前記第２透明導電シートに結合されるドライバ回路と、を備えることを特徴とするスマートフォン。
【請求項２７】
テレビであって、
電力源と、
前記電力源から電力を受領し、オーディオコンテンツを表す電気信号と表示コンテンツを表す電気信号とを発生させるように結合されるコンテンツエンジンと、
前記コンテンツエンジンに結合され、表示コンテンツを表す前記電気信号を受領し、表示コンテンツの視覚表現を発生させるよう構成されたディスプレイと、
前記ディスプレイ上に配置される透明超音波キャリアオーディオエミッタであって、
第１透明導電シートと、
第２透明導電シートと、
を備えた透明超音波キャリアオーディオエミッタと、
オーディオコンテンツを表す前記電気信号を受領するように結合されるアンプと、
前記アンプから超音波キャリア信号上に変調されたオーディオコンテンツを受領すべく結合されるように構成された２つの入力部と、２つの出力部とを有したドライバ回路であって、第１出力部が前記第１透明導電シートに結合され、第２出力部が前記第２透明導電シートに結合されるドライバ回路と、を備えることを特徴とするテレビ。
【発明の詳細な説明】
【技術分野】
【０００１】
本開示は概してパラメトリック（ｐａｒａｍｅｔｒｉｃ）スピーカに関する。特に、一部の実施態様は透明超音波エミッタに関する。
【背景技術】
【０００２】
非線形変換は十分な密度のオーディオ変調超音波信号の気柱内への導入から得られる。自己復調すなわちダウンコンバージョン（逓降変換）は気柱に沿って生じ、可聴アコースティック信号を発生させる。このプロセスは、異なる周波数の２つの音波が同じ媒体内で同時に放射されたとき、それら２つの周波数の総和および差異を含んだ変調波形がそれら２つの音波の非線形（パラメトリック）相互作用によって生成されるという知られた物理的原理によって行われる。これら２つのオリジナル音波が超音波であり、それらの相違がオーディオ周波数であるように選択されると、可聴サウンドがパラメトリック相互作用によって発生される。
【０００３】
パラメトリックオーディオ再生システムは、空気のような媒質内で実行される非線形プロセスにおいて２つの音響信号のヘテロダイニング（周波数変換）を介してサウンド（音）を生成する。その音響信号は典型的には超音波信号範囲のものである。媒質の非線形性は音響信号の総計および差異である媒質によって生成される音響信号を発生させる。従って、周波数で分離される２つの超音波信号は人の可聴範囲内である６０Ｈｚから２００００Ｈｚの異なるトーンを発生させることができる。
【発明の概要】
【０００４】
ここで説明される技術の実施態様には、エミッタとドライバとを含んだ超音波オーディオスピーカシステムが含まれる。様々な実施態様において、エミッタは、コンテンツデバイス（装置）のディスプレイ上に配置され、あるいはディスプレイのためのスクリーンとして活用できるように十分な透明性を備えて設計されている透明エミッタである。様々な実施態様における透明超音波オーディオスピーカはエミッタとドライバとを含んでいる。そのエミッタは、それぞれ導電領域を備えている第１透明導電シートと第２透明導電シートを含むことができる。例えば、第１導電シートおよび第２導電シートはガラス製または類似材料製でよく、それぞれのシートには、その表面上に被覆された導電層が提供できる。
【０００５】
別の実施態様においては、エミッタは第１透明導電シートおよび第２透明導電シートと、それら第１導電シートと第２導電シートとの間に配置された絶縁シートとを含むことができ、第１導電シートおよび第２導電シートは絶縁シートと接触状態またはそれとは離れた状態に配置されることができる。第１導電シートおよび第２導電シートは、例えば導電特性を備えるようにドープ処理され、被覆され、または別方法で調製された材料の透明シートを含むことができる。
【０００６】
ドライバ回路はアンプ（増幅器）から変調（ｍｏｄｕｌａｔｅｄ）超音波信号を受信すべく連結されるように設計された入力部（例：２本ワイヤ入力部）および出力部（例：２本ワイヤ出力部）を含むことができ、出力部の第１導電体は第１シートの導電領域に連結され、出力部の第２導電体は第２シートの導電領域に連結される。
【０００７】
本発明の他の特徴および態様は添付の図面を利用した以下の詳細な説明から明らかになるであろう。それら図面は、例示として本発明の実施態様の特徴部を図示する。しかし、それらの説明は本発明の範囲を限定するものではなく、本発明の範囲は本明細書の「請求の範囲」によってのみ定義される。
【図面の簡単な説明】
【０００８】
本発明は１以上の様々な実施態様に従って添付の図面を活用しながら詳細に説明されている。図面は説明のためにのみ提供されており、本発明の典型的な実施例を単に例示しているだけである。これら図面は、ここに説明されているシステムと方法の読者の理解を助けるために提供されており、請求されている本発明の範囲や利用性を制限するものと受け取られるべきではない。
【０００９】
ここに含まれた一部の図面は異なる角度による本発明の様々な実施例を図示する。それらに関する説明は、装置の“上部（ｔｏｐ）”、“下部（ｂｏｔｔｏｍ）”または“側部（ｓｉｄｅ）”であると言及するかも知れないが、そのような言及は単に説明のためであり、特に明示がないかぎり、本発明を特定の空間的配向性で実行または使用することを求めず、あるいはそのような配向性を必要とすることもない。
【００１０】
【図１】図１は、ここで説明されているエミッタ技術で使用するのに適した超音波サウンドシステムの概略図である。
【図２】図２は、ここで説明されているエミッタ技術で使用するのに適した信号処理システムの別例の概略図である。
【図３Ａ】図３Ａは、ここで説明されている技術の１実施例に従った例示的エミッタを図示する分解図である。
【図３Ｂ】図３Ｂは、ここで説明されている技術の１実施例に従った例示的エミッタを図示する分解図である。
【図３Ｃ】図３Ｃは、ここで説明されている技術の１実施例に従った例示的エミッタを図示する分解図である。
【図４】図４は、図３Ａに図示する実施例に従って組み立てられたエミッタの断面を示す概略図である。
【図５Ａ】図５Ａは、ここに開示されているエミッタを駆動するのに使用が可能な単純なドライバ回路の例を示す概略図である。
【図５Ｂ】図５Ｂは、ここに開示されているエミッタを駆動するのに使用が可能な単純なドライバ回路の別実施例を示す概略図である。
【図６】図６は、ポットコアインダクタ（誘電子）を形成するのに使用が可能なポットコアの１例の一部切取り図を示す概略図である。
【図７】図７は、エミッタと、ここで説明する技術の１実施例に従って活用されている付随するコンテンツデバイスの分解概略図である。
【図８Ａ】図８Ａは、スマートフォンのスクリーンに適用されたエミッタ（例：エミッタ６１）の１例を示す概略図である。
【図８Ｂ】図８Ｂは、フラットスクリーンテレビジョンのスクリーンに適用されたエミッタ（例：エミッタ６１）の１例を示す概略図である。
【図８Ｃ】図８Ｃは、携帯ＧＰＳ装置のスクリーンに適用されたエミッタ（例：エミッタ６１）の１例を示す概略図である。
【図８Ｄ】図８Ｄは、デジタルカメラのスクリーンに適用されたエミッタ（例：エミッタ６１）の１例を示す概略図である。
【図８Ｅ】図８Ｅは、手持ち（携帯用）ゲーム装置のスクリーンに適用されたエミッタ（例：エミッタ６１）の１例を示す概略図である。
【図９】図９は、２つのオーディオチャンネルのために超音波キャリアオーディオを提供するように設計されているデュアルチャンネルエミッタの１例の形態を示す概略図である。
【図１０ａ−１１ａ】図１０ａと図１１ａは、弓形形態のエミッタの１例を示す概略図である。
【図１０ｂ−１１ｂ】図１０ｂと図１１ｂは、円筒形態のエミッタの１例を示す概略図である。
【００１１】
これら図面は完璧を目指しておらず、本発明を開示されている正確な形態に限定してもいない。本発明はそれらの修正形態および変形形態であっても実施が可能であり、本発明は請求の範囲およびそれらの均等物によってのみ限定されることは理解されるべきである。
【発明を実施するための形態】
【００１２】
ここで説明するシステムと方法の実施態様は、様々な異なる適用のためのハイパーソニックサウンド（ＨＳＳ）オーディオシステムあるいは他の超音波オーディオシステムを提供する。実施態様によっては、超音波キャリアオーディオ形態のための超音波エミッタを提供する。好適には、超音波エミッタは、エミッタが高い透明性を有するように、透明絶縁層によって隔てられたガラスまたは他の透明材料上の導電層あるいは導電領域を使用して作製されている。
【００１３】
従って実施態様によっては、デバイスの使用者に指向性（ｄｉｒｅｃｔｉｏｎａｌ）オーディオを提供するためにコンテンツプレイバック（コンテンツ再生）デバイスまたはディスプレイ（表示）デバイスのディスプレイスクリーンの上あるいはその前方に配置できるよう、エミッタは十分に透明である。別実施態様では、エミッタはコンテンツプレイバックデバイスまたはディスプレイデバイスのディスプレイスクリーンの代用に提供できる。例えばラップトップ、タブレットコンピュータ、コンピュータおよび他のコンピュータ形態装置、スマートフォン、テレビジョン、モバイルデバイス、ＭＰ３およびビデオプレーヤ、デジタルカメラ、ナビシステム、ポイントオブセールターミナルその他のコンテンツディスプレイ装置はますます小型化および軽量化されており、パワー消費をセーブするように設計されている。そのようなコンテンツデバイスの小型化しつつあるサイズのため、オーディオスピーカを含ませるようにデバイスのパッケージ内に利用できるスペースは限られている。一般的に従来のオーディオスピーカは共振チャンバでよく作動し、スピーカコーンから比較的大きな動きを必要とする周波数で共振する。従って、そのようなスピーカを収容するにはデバイスパッケージ内に十分なスペースが必要である。このことは、ディスプレイおよびデバイス自体がますます薄型化している現代のコンテンツデバイスにおいては非常に困難になり得る。また、この困難性を増しているのは、しばしば現代のコンテンツデバイスの前面が主として、小さな装飾的境界だけで囲まれたディスプレイスクリーンによって占められるように設計されているという事実である。よって、それら寸法的な制約の下では、従来のアコースティック（音響）オーディオスピーカにより所望のオーディオ出力を達成することがますます困難になっている。加えて、従来のアコースティックオーディオスピーカはさほど指向性ではない傾向がある。従って、従来のオーディオ信号を意図するリスナー（聴き手）の位置方向に専用に“方向付ける（ｄｉｒｅｃｔ）”ことは困難である。
【００１４】
よって、実施態様によっては、１以上の透明パラメトリックエミッタがデバイスの表面に設置され、パラメトリックオーディオコンテンツをデバイスのユーザに提供する。さらに、実施態様によっては、透明エミッタがコンテンツデバイスのディスプレイの一部または全部に配置できる。また別の実施態様では、透明エミッタが利用され、ディスプレイの保護カバー（すなわちガラス表面）として（例：代用として）使用できる。従って、様々な実施態様において、透明エミッタは、ユーザによる満足できる視認を可能にする可視スペクトルでの十分な透過率を提供する材料によって製造される。例えば、実施態様によっては、可視スペクトルでのエミッタの透過率は５０％以上である。別実施態様では、可視スペクトルでのエミッタの透過率は６０％以上である。さらに別実施態様では、可視スペクトルでのエミッタの透過率は７０％以上である。さらに別実施態様では、可視スペクトルでのエミッタの透過率は８０％以上である。さらに別実施態様として、可視スペクトルでのエミッタの透過率は７０％から９０％の範囲である。また別実施態様として、可視スペクトルでのエミッタの透過率は７５％から８５％の範囲である。また別実施態様として、可視スペクトルでのエミッタの透過率は８０％から９５％の範囲である。
【００１５】
図１は、ここで説明するシステムと方法により使用するのに適した超音波サウンドシステムを図示する概略図である。この例示的な超音波システム１においては、例えばマイクロフォン、メモリ、データ保存装置、ストリーミングメディアソース、ＣＤ、ＤＶＤ、その他等のオーディオソース２からのオーディオコンテンツが受領される。オーディオコンテンツはデコード（ｄｅｃｏｄｅｄ）することができ、オーディオソースに応じてデジタル形態からアナログ形態に変換できる。オーディオシステム１により受領されたオーディオコンテンツは、モジュレータ（変調器）を使用して周波数ｆ１の超音波キャリアに変調（転調）される。モジュレータは典型的には超音波キャリア信号を発生させるローカルオシレータ（発振器）３と、キャリア信号によってオーディオ信号を増幅するマルチプライヤ（増幅器）４とを含む。生じる信号は周波数ｆ１でキャリアを含んだダブルサイドバンド（両側波帯）信号またはシングルサイドバンド（単側波帯）信号である。実施態様によっては、信号はパラメトリック超音波またはＨＳＳ信号である。ほとんどの場合には、使用されるモジュレーションスキーム（変調方式）は振幅変調すなわちＡＭである。ＡＭは情報伝達信号（この場合はオーディオ信号）で超音波キャリアを積算することにより達成できる。変調された信号のスペクトルは２つのサイドバンド（上方サイドバンドおよび下方サイドバンド）を有している。それらは概してキャリア周波数およびキャリア自体に対して対称である。
【００１６】
変調超音波信号がトランスデューサ６に提供される。トランスデューサ６は超音波を空気に送り込み、超音波７を発生させる。十分に高い音圧レベルでトランスデューサを介してプレイバックされると、“プレイ（ｐｌａｙｅｄ）”すなわち伝達する空気の非線形作用のため、信号内のキャリアはサイドバンドと混合され、信号を変調してオーディオコンテンツを再生する。これは時に自己復調と称される。よって、シングルサイドバンドの適用のためであっても、自己復調が発生できるようにキャリアは送り込まれる信号に含まれる。図１で図示されているシステムは、オーディオコンテンツの単一チャンネルを送り込むために単一トランスデューサを使用するが、本明細書を読んだこの分野の専門家であれば、超音波キャリアを使用して複数のオーディオチャンネルを伝達するのに複数のミキサ、アンプおよびトランスデューサがどのように利用されるかを理解するであろう。
【００１７】
ここで説明する技術で使用するのに適した信号処理システム１０の１例が図２で概略的に図示されている。この実施例においては、１つの実施形態に従って配置されている（信号の処理工程に対する）順序で様々な処理回路または構成要素が図示されている。入力信号がそれぞれの回路または構成要素によって処理される順序が変えられるように、処理回路の構成要素が変更可能であることは理解されるべきである。また実施態様に応じて、処理システム１０は図示のものよりも多いか少ない構成要素または回路を含むことができる。
【００１８】
図１で示す実施例は、信号のそれぞれのチャンネルのために実質的にマッチ（調和）している構成要素を含んだ様々な構成要素または回路を備えた２つの入力チャンネルおよび出力チャンネル（例：“ステレオ”信号）の処理に利用されるように最適化されている。本明細書を読んだこの分野の専門家であれば、オーディオシステムは単一チャンネル（例：“モノラル”信号すなわち“モノ”信号）、２つのチャンネル（図２に図示）またはさらに多い数のチャンネルを使用して実行できることを理解するであろう。
【００１９】
図２が図示するように、例示的信号処理システム１０は、オーディオ入力信号の左側チャンネル１２ａと右側チャンネル１２ｂに対応できるオーディオ入力部を含むことができる。等化ネットワーク１４ａ、１４ｂは信号の等化を提供するために含めることができる。等化ネットワークは、例えば、予め決定された周波数または周波数範囲を高め、あるいは抑制し、パラメトリックエミッタアセンブリのエミッタ／インダクタの組合せによって自然に提供される利益を増幅する。
【００２０】
オーディオ信号が圧縮された後にコンプレッサ回路１６ａ、１６ｂを含ませることができ、入力信号の動的範囲を圧縮し、入力信号の所定の部分の振幅を効果的に増加させ、入力信号の所定の他部分の振幅を減少させる。特に、コンプレッサ回路１６ａ、１６ｂを含ませることができ、オーディオ振幅の範囲を狭めることができる。１つの態様では、コンプレッサは約２：１の比を下回らない比によって入力信号の最大振幅を減少させる。入力信号を、さらに狭い範囲の振幅に調整することは歪みの最少化のために実行できる。これは、このクラスのモジュレーションシステムの限定されたダイナミック範囲の特徴である。他の実施態様では、等化ネットワーク１４ａ、１４ｂは圧縮後に信号を等化させるため、コンプレッサ１６ａ、１６ｂの前方に設定できる。
【００２１】
ローパスフィルタ回路１８ａ、１８ｂを信号の高い部分をカットするために含むことができ、ハイパスフィルタ２０ａ、２０ｂをオーディオ信号の低い部分のカットを提供するのに含むことができる。１つの例示的な実施態様では、ローパスフィルタ１８ａ、１８ｂは約１５ｋＨｚから２０ｋＨｚを超える信号をカットするのに使用され、ハイパスフィルタ２０ａ、２０ｂは約２０Ｈｚから２００Ｈｚ未満の信号をカットするのに使用される。
【００２２】
ハイパスフィルタ２０ａ、２０ｂは、変調後にキャリア周波数の偏差をもたらす低周波数（例：キャリア周波数に最も近い変調信号部分）を排除するように設計できる。また、低周波数の一部はシステムが効果的に再生するのが困難であり、その結果、それら周波数を再生しようとして多量のエネルギーが無駄にされかねない。従って、ハイパスフィルタ２０ａ、２０ｂはそれら周波数をカットするように設計できる。
【００２３】
ローパスフィルタ１８ａ、１８ｂは、変調後にキャリアによる可聴ビート信号を発生させ得る高周波数を排除するように設計できる。例示として、もしローパスフィルタが１５ｋＨｚを超える周波数をカットし、キャリア周波数が約４４ｋＨｚであるなら、差分信号は２９ｋＨｚ程度よりも低くはならない。それはそれでもまだ人の可聴範囲外である。しかしながら、もし２５ｋＨｚもある周波数がフィルタ回路を通過可能であるとするなら、発生される差分信号は人の可聴範囲である１９ｋＨｚの範囲になり得ることになる。
【００２４】
例示的システム１０においては、ローパスフィルタとハイパスフィルタを通過した後、オーディオ信号はモジュレータ２２ａ、２２ｂによって変調される。モジュレータ２２ａ、２２ｂはオシレータ２３によってオーディオ信号をキャリア信号と混合あるいは組み合わせる。例えば、実施態様によっては、単一オシレータ（１実施態様では、範囲がオシレータで使用可能な容易に入手できる結晶に対応する４０ｋＨｚから５０ｋＨｚの選択周波数で駆動される）が両方のモジュレータ２２ａ、２２ｂを駆動するために使用される。複数のモジュレータのために単一オシレータを活用することで、同一キャリア周波数が、モジュレータから出力部２４ａ、２４ｂで出力されている複数のチャンネルに提供される。それぞれのチャンネルのために同一キャリア周波数を使用することで可聴ビート周波数が発生するリスクが低下する。
【００２５】
ハイパスフィルタ２７ａ、２７ｂも変調段階後に含むことができる。ハイパスフィルタ２７ａ、２７ｂは変調超音波キャリア信号を通過させ、オーディオ周波数が出力部２４ａ、２４ｂを介してアンプに入らないことを確実にすることができる。従って実施態様によっては、ハイパスフィルタ２７ａ、２７ｂは約２５ｋＨｚ未満の信号を除去するように設計することができる。
【００２６】
図３Ａは、ここで説明する技術の１実施例による例示的エミッタを図示する分解図である。図３で示す例示的エミッタは導電シート４５と４６とを含む。それらは様々な実施態様において透明導電シートである。導電シート４５、４６は透明であり得るが、非透明材料も同様に使用できる。説明を容易化するため、エミッタの構造はここでは時々透明エミッタとして説明されている。しかし、当該技術の専門家であれば、様々な適用形態において不透明なエミッタあるいは様々な程度の不透明性を有したエミッタであっても利用できることを理解するであろう。
【００２７】
図示されている例の導電シート４５、４６は、それぞれ２つの層４５ａ、４５ｂおよび４６ａ、４６ｂを含んでいる。この例では導電シート４５は、ガラスあるいは他の同様な材料を含んで製造された基層４５ｂを含む。導電シート４５はまた、図示の実施例では基層４５ｂの上面に提供されている導電層４５ａも含むことができる。同様に、この実施例では導電層４６はガラスまたは他の同様な材料を含んで製造された基層４６ｂと、この実施例では基層４６ｂの上面に提供された導電層４６ａを含む。導電層４５ａ、４６ａは可視状態である縁部に導電領域と非導電領域のコントラストを際立たせるために陰影で示されている。実施態様によっては、陰影化すなわち着色された材料が使用されるが、図面の陰影は発明の説明の目的でのみ施されている。
【００２８】
導電層４５ａ、４６ａはそれぞれの基層４５ｂ、４６ｂ上に提供された導電材料の薄層でよい。例えば導電層４５ａ、４６ａは基層４５ｂ、４６ｂ上にスプレー、蒸着あるいは別方法で堆積された導電コーティングを含むことができる。別例として、導電層４５ａ、４６ａは、透明基材にコーティングされた酸化インジウムスズ（ＩＴＯ）、フッ素ドープ酸化スズ（ＦＴＯ）、透明金、所謂ハイブリッド透明導電コーティング、または同様な導電材料を含むことができる。導電層４５ａ、４６ａは透明シート上に堆積されたグラフェンの層も含むこともできる。導電層４５ａ、４６ａは基層４５ｂ、４６ｂ上に積層または別方法で堆積された材料の導電シートを含むこともできる。例えば、導電マイラ（Ｍｙｌａｒ）あるいは他の類似したフィルムが基層４５ｂ、４６ｂ上に積層あるいは別方法で堆積できる。さらに別の実施態様では、導電層４５ａ、４６ａは、導電層４５ａ、４６ａを形成するために導電シート４５、４６内に部分的または完全に拡散されている導電材料のドープされた導電層または拡散層を含むことができる。例えば、金または他の導電金属がガラス内の所望の深さに所望の濃度で拡散でき、所望の値の導電性（例：所望の値のオーム（Ω）／スクエア（□））を提供できる。好適には、導電領域／層４５ａ、４６ａは高度の透明性（例：可視スペクトルで９０％以上。他の透明度でも可）を有し、エミッタの全体的な透明性に不当な悪影響を及ぼさない。
【００２９】
従って導電シート４５と４６は基層４５ｂ、４６ｂを含み、それぞれ低電気抵抗を有する導電層４５ａ、４６ａを有する。例えば、１実施態様においては、それぞれの導電層４５ａ、４６ａの抵抗は１００オーム／スクエア以下でよい。別実施態様では、それぞれの導電層４５ａ、４６ａの抵抗は５０オーム／スクエア以下でよい。別実施態様では、それぞれの導電層４５ａ、４６ａの抵抗は１０オーム／スクエア以下でよい。さらに別実施態様では、それぞれの導電層４５ａ、４６ａの抵抗は１５０オーム／スクエア以下でよい。さらに別実施態様では、それぞれの導電層４５ａ、４６ａの抵抗は他の値を有することができ、導電層４５ａ、４６ａの抵抗は互いに等しくなくとも構わない。
【００３０】
実施態様によっては、導電シート４５、４６は高イオン交換（ＨＩＥ；ｈｉｇｈ−ｉｏｎ−ｅｘｃｈａｎｇｅ）アルカリアルミノシリケートの薄シートガラスを使用して実現する。特に、実施態様によっては、導電シート４５、４６はコーニング（登録商標）・ゴリラ（登録商標）・ガラス（コーニングインコーポレーテッド社から入手可能、米国１４８３１ニューヨーク州コーニング、ワンリバーフロントプラザ）または他の同様な材料のシートを含む。別実施態様では、導電シート４５、４６はコーニング（登録商標）ウィロー（ｗｉｌｌｏｗ）ＴＭガラス（コーニングコーポレーテッド社から入手可能、米国１４８３１ニューヨーク州コーニング、ワンリバーフロントプラザ）を使用して実現する。例えば、１実施態様では、導電シート４６はウィローガラスで製造され、導電シート４５はさらに厚くてさらに剛性であるゴリラガラスで製造される。本明細書で説明しているように、またこの分野の専門家には明らかなように、導電シート４５と４６には他の透明材料であっても使用できる。
【００３１】
導電シート４５、４６またはそれらの基層４５ｂ、４６ｂはガラスシートを含んでいると上述されているが、他の透明材料が使用可能である。例えば、ポリカーボネート、アクリル樹脂、プレキシガラス、プラスチックまたは他の同様な材料が使用できる。実施態様によっては、エミッタを通じてコンテンツの観察に悪影響を及ぼさないで透明性を提供するために十分な透光性を備えた金属コーティングを有した金属化フィルムが、導電シート４５及び／又は４６を提供するのに使用できる。例えば、１実施態様にいては、ガラスまたは他の剛性材料が導電シート４５のために使用でき（例：エミッタの剛性バックプレートを形成するため）、金属化フィルムが導電シート４６のために使用できる。従って、例えばマイラおよびカプトン（登録商標）のような金属化フィルムが、導電シート４５と４６の一方または両方として使用できる。
【００３２】
実施態様によっては、導電シート４５は厚みが約２ｍｍから１０ｍｍの範囲であり、導電シート４６は厚みが約０．０５ｍｍから０．５ｍｍの範囲であり、他の厚みも可能である。例えば、実施態様によっては、導電シート４６は厚みが０．２５ミル（ｍｉｌｓ）であり、導電シート４５は厚みが２０ミルである。導電シート４５ａ、４６ａ間の薄くて低い抵抗の層は少量のバイアスでエミッタを作動させる。
【００３３】
作動に際しては、一方の導電シートが、導電層全体に提供された電気信号に対応して振動し、変調された超音波信号を伝達媒質（例：空気）内に送り込む。例えば例示として、実施態様によっては、導電シート４６がエミッタの前面に向かって配置され、電気信号に対応して振動するようにエミッタが設計されているなら、導電シート４５はエミッタの後部側に向かって配置される。実施態様によっては、導電シート４５には所望の剛性と強度をエミッタに付与するために十分な厚みを提供することができる。従って、実施態様によっては、導電シート４５は導電シート４６よりも大きな厚みを有することができる。事実、様々な実施態様では、導電シート４６は十分に薄くて振動することができ、空気内に変調超音波キャリアを送り込むことができる。
【００３４】
様々な実施態様において、低抵抗導電層４５ａ、４６ａは基層４５ｂ、４６ｂよりも大幅に薄い。しかし、図解を容易にするため、導電層４５ａ、４５ｂ、４６ａ、４６ｂの寸法（相対的厚みを含む）は縮尺率に忠実ではない。
【００３５】
導電シート４５、４６は導電層４５ａ、４６ａおよび基層４５ｂ、４６ｂを含む場合には、２つの導電層間の中間基層（図示の実施例では４６ｂ）は抵抗層として作用でき、電気的に導電層４６ａを導電層４５ａから絶縁する。様々な実施態様において、この中間基層（図示の実施例では４６ｂ）は導電層４５ａ、４６ａ間の放電または短絡を防止するのに十分な厚みである。別実施態様では、導電シート４５と４６の間に提供されたエアギャップと直列であるこの中間基層（図示の実施例では４６ｂ）は、導電層４５ａ、４６ａ間の放電と短絡を防止するのに十分な抵抗である。
【００３６】
様々な実施態様においては、別体の絶縁シート４７（図３Ｂおよび図３Ｃに図示）を、導電シート４５と４６間に追加の電気絶縁を提供するよう含むことができる。絶縁シート４７は、導電層４５と４６間に絶縁層を提供するために相対的に低い導電性を有したガラス、プラスチックまたはポリマー層あるいは他の高光透過層を含むことができる。例えば、絶縁層４７は非常に高い、すなわち実質的に無限抵抗を有することができる。薄エミッタが望まれる適用形態では、絶縁シート４７は、導電シート４５と４６間の短絡または放電を防止しつつ、可能な限り、あるいは実用範囲内で可能な限り薄くなるように選択できる。絶縁層４７は、例えば、ガラス、ポリカーボネート、アクリル樹脂、プラスチック、ＰＥＴ、一軸若しくは二軸配向したポリエチレンテレフタレート、ポリプロピレン、ポリイミド、または他の絶縁フィルムまたは材料を使用して製造できる。好適には絶縁層４７は十分に高い抵抗を有しており、導電層４５と４６間の放電を防止する。導電層４６ｂ（図３Ｂ）の絶縁特性が十分であれば、絶縁層４７は不要である（すなわち図３Ａで示す実施例で十分）。
【００３７】
透明性が望まれる適用形態では、可視スペクトルでの高透過性材料が好適である。例えば、ゴリラガラスとウィローガラスは可視波長で約９０％以上の透過率を有する。高透過性の材料は、パラメトリックエミッタが、ラップトップ、タブレット、スマートフォン、コンピュータ、テレビジョン、モバイル装置、カメラ、ポータブルＧＰＳ装置、または他のコンテンツディスプレイデバイスのようなコンテンツデバイスのディスプレイに固定またはそれに代用されるような適用形態に適している。それぞれ９０％以上の透過率を有した２層システムが使用される場合、エミッタは約８１％以上の全透過率を有して製造することができる。追加の適用形態は以下においても説明されている。
【００３８】
導電シート４５と４６（および含まれるなら絶縁層４７）はいくつかの異なる技術によって結合できる。例えば、フレーム、留め具、クリップ、接着剤あるいは他の取付け機構がそれら層の結合に使用できる。エミッタフィルムの共振を妨害させないようにそれら層は縁部に沿って結合できる。好適には、導電シート４５と４６（および含まれるなら絶縁シート４７）は互いに密着固定された状態に保持される。
【００３９】
スペーサ４９（図４）を、層間にギャップを設けるために導電シート４５、４６（および含まれるなら絶縁シート４７）間に含むことができる。様々な実施態様では、エアギャップが導電シート４６と隣接層（導電層４５または絶縁層４７）との間に設けられ、導電層４６を変調されたキャリア信号に対応して振動させる。スペーサ４９は様々な形状と形態で提供でき、エアギャップを維持するための支持を提供するように層間の様々な位置に配置できる。例えばスペーサは、例えば、ガラス、プラスチック、等々の低導電性材料製のドット形態であってもビーズ形態であっても構わない。スペーサはシリコーン若しくはその他のゲル、微細ダスト若しくは砂、透明液または他の透明材料を使用して設けることもできる。様々な実施態様では、導電シート４６でのスペーサ４９の接触面積は導電シート４６の振動を妨害しないように可能な限り小さく維持される。様々な実施態様では、エアギャップは０．１ミルから２０ミルの範囲よい。一部の実施態様では、導電シート４６は十分に可聴である信号を発生させるために約１ミクロン（０．０３９３７ミル）の変位で振動する。従って、そのような実施態様でのエアギャップは０．０３９３７ミル以上であり、剛性導電シート４５に導電シート４６の振動を妨害させないようにする。
【００４０】
導電シート４５と４６は同一厚でもよく、一部の実施態様では導電シートの１つは（例：導電シート４５）はエミッタにさらに大きな剛性を付与するために厚みを増した材料で製造できる。共振は厚みによって影響を受けるので、このさらに厚いシートは、典型的にはリスナーから離れた位置に存在し、エミッタの透明バッキングプレートを形成するであろう。例えば、導電シート４５は厚みが１２５ミル以上まで可能であり、エミッタの厚みと剛性を増加させる。
【００４１】
実施態様によっては、バッキングプレートとして機能するさらに厚い層によって、エミッタは、それがなければコンテンツデバイスのディスプレイ上に存在するであろうスクリーンを置換することができる。そのような実施態様においては、例えばエミッタが構成されてコンテンツデバイスのガラス（または他の材料）のカバーの置換に使用できる。他の実施態様では、エミッタはコンテンツデバイスのスクリーンに外側層として加えることができる。
【００４２】
追加的に、シート４５は滑らか、または実質的に滑らかな表面であってよく、あるいは粗いか凹凸を有する表面であってもよい。例えば、シート４５は研磨されたものでも、サンドブラスト処理されたものでも、表面にピット（窪み）または凹凸を有して形成されたものでもよく、望む程度の“オレンジピール（ｏｒａｎｇｅ  ｐｅｅｌ）”であっても、他のテクスチャを備えたものであってもよい。このテクスチャはシート４５、４６間に効果的なスペースを提供でき、適用された変調キャリアに対応してシート４６を振動させる。このスペースは、導電シート４６との導電シート４５の増加した連続接触によって引き起こされる可能性がある減衰を抑えることができる。また上述したように、実施態様によっては、スペーサ４９（図４）が導電シート４５と４６間に所望のスペースを維持するように提供できる。ギャップを維持させるために導電シート４６に隣接する導電シート４５の表面には小スペーサ４９が提供または形成できる（逆も可）。また、このスペースは、適用された変調キャリア信号に対応して導電シート４５を振動させることができる。
【００４３】
種々な実施態様においては、非導電性バッキングプレート（非図示）も提供できる。非導電性バッキングプレートも透明でよく、エミッタの裏面で導電表面（例：導電層４５ａ）を絶縁するように作用でき、エミッタを配置または取り付ける基部を提供できる。例えば、導電表面４５ａを非導電性または相対的に低い導電性のガラス基材上に提供できる。別実施態様では、導電表面はコンテンツデバイスのスクリーン上に配置できる。
【００４４】
作動する場合には、導電シート４５と４６はパラメトリックエミッタの対極（反対極；ｏｐｐｏｓｉｔｅ  ｐｏｌｅｓ）を提供する。１実施例（および上述した実施例）では、シート４６は接触部５２ａを介した変調キャリア信号の適用に対応して振動するアクティブポール（ａｃｔｉｖｅ  ｐｏｌｅ）である。十分な超音波圧力レベルを得るために十分な電力でエミッタを駆動するため、導電表面４６ａと導電表面４５ａ間のスペースが過度に小さいとき放電が発生する可能性がある。しかし、スペースが過度に大きいとエミッタは共振を達成しないであろう。
【００４５】
もし絶縁シート４７が使用されると、実施態様によっては、それは厚みが約０．９２ミルの層となる。別の実施態様では、絶縁層４７は約０．９０ミルから約１ミルの厚みの層である。さらに別の実施態様では、絶縁層４７は約０．７５ミルから約１．２ミルの厚みの層である。さらに別の実施態様では、絶縁層４７は厚みが約０．３３ミルまたは０．２５ミルの薄い層である。他の厚みも使用でき、実施態様によっては、別の絶縁層４７は提供されない。実施態様によっては、スペーサ４９の機能を提供するために絶縁層４７には切出部、穴部または他の開口部が提供できる。例えば、絶縁層４７は、材料を通過する穴部のパターンを備えたシートを含むことができる。穴部間の残りの材料はスペーサ４９として機能できる。切出部は任意の形状およびサイズでよく、それには円形、方形、多角形、等々が含まれる。
【００４６】
絶縁シート４７を含むことの１つの利点は、それが導電シート４５、４６の第１導電表面および第２導電表面に放電を発生させることなく増大したレベルのバイアス電圧を適用させることができることである。導電シート４５、４６の２つの導電表面間の材料の絶縁特性を考慮するとき、含まれるなら絶縁シート４７の絶縁値、および、含まれるならエアギャップと基層４６ｂの絶縁値が考察されるべきである。
【００４７】
絶縁層４７が含まれる場合、または放電を防止するようにエアギャップが十分に大きい場合には、シート４５、４６の導電領域４５ａ、４６ａは様々な実施態様においては図３Ｃに図示するように相互に対面して配置できる。また別の実施態様では、絶縁層４７は非導電領域４６ｂを回避させることができる。
【００４８】
変調キャリア信号をエミッタに結合させるために電気接触部５２ａ、５２ｂが使用される。エミッタのためのドライバ回路の例は以下に説明されている。
【００４９】
図４は、図３Ａに示す実施例に従って構成されたエミッタの断面を図示する概略図である。図示のように、この実施例は導電シート４５、導電シート４６、および導電シート４５、４６間に配置されたスペーサ４９を含む。
【００５０】
これら、および他の図面における寸法、特に層の厚みとスペースは実際の縮尺率に即してはいない。導電層４５ａ、４６ａは図４では陰影で示されている。これは図面において視認性を向上させる目的だけで行われている。全ての層は透明でよく、あるいは層によっては陰影を施したり、着色しても構わない。エミッタの視認性および耐久性を向上させるために反射防止、スクラッチ防止コーティング（またはその両方）（非図示）をエミッタの外側表面に提供することができる。
【００５１】
エミッタは実質的に任意の寸法で製造できる。１適用形態では、エミッタは長さｌ（エル）が３インチであり、その幅ωは２インチであり、他の寸法（さらに大きな寸法あるいは小さい寸法）でも可能である。さらに大きなエミッタ面積はさらに大きなサウンド出力を導くが、より高いバイアス電圧も必要となるであろう。実施態様によっては、長さと幅の実際的な範囲は従来の本棚用スピーカの長さと幅に類似させることができる。エミッタがコンテンツデバイス上またはスクリーンとして使用される実施態様においては、エミッタはコンテンツデバイスのケース上に置くか、またはケースの脇に置けるようなサイズにすることができ、あるいはデバイスのディスプレイの寸法と同様なサイズにすることができる。
【００５２】
シート４５と４６（および含まれる場合には絶縁層４７）は特定の適用形態のために望ましい長さと幅を有する寸法にすることができる。例えば、エミッタが写真フレームのための表面材として使用される場合（例：写真フレームガラスの代用または写真フレームガラスの上部）、エミッタの寸法は写真フレームの寸法に合うように選択できる。別例として、透明エミッタがコンテンツデバイスのスクリーンまたはスクリーンカバーとして使用されるように設計されている場合、シート４５と４６（および含まれる場合には絶縁層４７）は、共に使用されるコンテンツデバイスの形状因子に合致するように寸法化されることができる。大型エミッタは、例を挙げれば、例えば、３６インチ、５０インチ、５５インチ、６０インチ、６５インチ、７０インチ、８０インチまたは９０インチ（あるいはそれ以上）の対角長を有したテレビやホームシアターセグメントでの利用のため、デバイスのアスペクト比に釣合ったアスペクト比を有するように製作できる。例えば、スマートフォンのような小型デバイスのためには、３インチ×２インチ程度のサイズが利用できる。実施態様によっては、絶縁層４７は、エミッタの縁部で絶縁を提供し、シート４５と４６間の放電を防止するよう、シート４５と４６に比べてさらに大きな長さと幅を有することができる。
【００５３】
典型的には、パラメトリックエミッタは共振するであろう固有共振周波数を有する。ここで説明するように、ガラスエミッタにおいては、それらの固有共振周波数は約３０ｋＨｚから１００ｋＨｚの範囲内である。例えば、８０ｋＨｚである。従って、エミッタ材料と超音波キャリアのキャリア周波数は、キャリア周波数がエミッタの共振周波数とマッチ（一致）するように選択されることができる。エミッタの共振周波数でキャリア周波数を選択することでエミッタの出力を増加させることができる。
【００５４】
図５Ａは、ここで開示するエミッタを駆動するのに使用できる単純ドライバ回路の例を図示する概略図である。この技術の専門家であれば理解するであろうが、複数のエミッタが使用される場合には（例：ステレオ形態）、ドライバ回路５０はそれぞれのエミッタに提供できる。実施態様によっては、ドライバ回路５０はエミッタと同じハウジング内またはアセンブリ（構造体）内に提供される。他の実施態様では、ドライバ回路５０は別のハウジング内に提供される。このドライバ回路は１例であり、この分野の専門家であれば他のドライバ回路であってもここで説明するエミッタ技術に使用できることは理解するであろう。
【００５５】
典型的には、信号処理システム１０からの変調信号はアンプ（非図示）に電子的に結合されている。アンプはドライバ回路５０の一部であっても、同一ハウジング内またはエンクロージャ（容器）内に存在してもよい。あるいはアンプは別に収容されてもよい。変調後に信号はドライバ回路５０の入力部Ａ１、Ａ２に送られる。ここで説明する実施態様においては、エミッタ構造体は超音波周波数で作動が可能なエミッタを含む。エミッタ（図６では非図示）は接点Ｄ１、Ｄ２でドライバ回路５０に接続されている。インダクタ５４がエミッタと並列である共振回路を形成する。エミッタと並列にインダクタ５４を設計することで、電流はインダクタとエミッタを循環し、並列共振回路が達成できる。従ってエミッタの静電容量が重要になる、なぜなら、所望の周波数で共振を達成するためには、エミッタのさらに低い静電容量値はさらに大きなインダクタンスを必要にするからである。よって、層およびエミッタの静電容量値は全体としてエミッタの設計には重要な考察対象であり得る。
【００５６】
バイアス電圧が端子Ｂ１、Ｂ２に印加され、エミッタにバイアスを提供する。全波長整流器（ｆｕｌｌ  ｗａｖｅ  ｒｅｃｔｉｆｉｅｒ）５７とフィルタコンデンサ（フィルタキャパシタ；ｆｉｌｔｅｒ  ｃａｐａｃｉｔｏｒ）５８はエミッタ入力部Ｄ１、Ｄ２で回路にＤＣバイアスを提供する。理想的には、使用されるバイアス電圧はエミッタが引き受けることを期待される逆バイアスのほぼ２倍（またはそれ以上）である。これはバイアス電圧が逆バイアス状態からエミッタを確実に抜け出させるためである。１実施態様においては、バイアス電圧は４２０ボルト程度である。他の実施態様では別のバイアス電圧が利用できる。超音波エミッタのためには、バイアス電圧は典型的には数百ボルトの範囲である。
【００５７】
直列構成は利用可能ではあるものの、インダクタ５４をエミッタと並列に配置することは直列構成に勝る利点を提供する。例えば、この形態においては、電流路にアンプの直接的な存在がなくとも、インダクタ・エミッタ回路には共振が達成できる。このことで直列形態と比べて、エミッタのさらに安定して予測可能な性能と、無駄になる電力の低減が提供できる。
【００５８】
最良のシステム性能で共振を達成することでシステムの効率を改善することができ（すなわち、システムによって消費される電力を低減させることができ）、システムによって発生される熱量を減少させることができる。
【００５９】
他の実施態様では、インダクタはエミッタと直列である共振回路を形成するように設計できる。直列構成では回路はインダクタに無駄な電流を流させる。この技術分野で知られているように、エミッタは電気共振が回路内で達成されるときに（またはその近辺で）最良に機能するであろう。しかし、アンプは回路に変化を導入し、それは温度、信号変動、システム性能、等々によって変わり得る。よって、インダクタ５４がエミッタ（およびアンプ）と直列に配置されているときには回路で安定した共振を得る（および維持する）ことがさらに困難になり得る。
【００６０】
図５Ｂは、ここで開示されているエミッタを駆動するのに使用が可能な単純構造駆動回路の別実施例を図示する概略図である。この分野の専門家であれば理解するであろうが、複数のエミッタが使用されるとき（例：ステレオ形態）、それぞれのエミッタにドライバ回路５１を提供することができる。実施態様によっては、ドライバ回路５１はエミッタと同じハウジング内またはアセンブリ内に提供される。別の実施態様では、ドライバ回路５１は別ハウジング内に提供される。このドライバ回路はほんの１例であり、この分野の専門家であれば、ここで説明されるエミッタ技術で他のドライバ回路を利用することが可能であることを理解するであろう。
【００６１】
典型的には、信号処理システム１０からの変調信号はアンプ（非図示）に電子的に結合される。アンプはドライバ回路５１の一部であっても、同じハウジング内またはエンクロージャ内に収容されることもできる。あるいはアンプは別々に収容されることもできる。増幅後に信号はドライバ回路５１の入力部Ａ１、Ａ２に送られる。ここで説明する実施態様では、エミッタ構造体は超音波周波数で動作が可能なエミッタを含んでいる。エミッタは接点Ｅ１、Ｅ２でドライバ回路５０に接続される。図５Ｂで示す回路の利点は、バイアスが超音波キャリア信号から発生でき、別のバイアス供給が不要なことである。作動にあたっては、コンデンサＣ１−Ｃ４と組み合わされたダイオードＤ１−Ｄ４が、整流器および電圧マルチプライヤとして機能するように設計されている。特にダイオードＤ１−Ｄ４とコンデンサＣ１−Ｃ４は整流器および電圧クアドルプラ（４倍電圧器；ｑｕａｄｒｕｐｌｅｒ）として設計され、ノード（節点）Ｅ１、Ｅ２でキャリア電圧振幅の約４倍までのＤＣバイアス電圧を提供する。他のレベルの電圧増加は知られた類似電圧増加技術を活用して提供できる。
【００６２】
コンデンサＣ５は、バイアスを保持し、ノードＥ１でＤＣ電圧にオープン回路（開回路）を提供（すなわち、ＤＣ電圧がアース短絡することを防止）できるように十分な大きさではあるが、変調超音波キャリアをエミッタに通過させるように十分に小さく選択される。抵抗Ｒ１、Ｒ２は電圧デバイダ（ｖｏｌｔａｇｅ  ｄｉｖｉｄｅｒ）を形成し、ツェナー（Ｚｅｎｅｒ）ダイオードＺＤ１と組み合わされて所望のレベルにバイアス電圧を制限し、それは図示の例においては３００ボルトである。
【００６３】
インダクタ５４はこの分野の専門家には知られている様々なタイプのものでよい。しかし、インダクタはインダクタの範囲を超えた“リーク（漏れ）”可能な磁場を発生させる。この磁場はエミッタの作動及び／又はレスポンスを妨害する可能性がある。また、超音波サウンド適用形態で使用される多くのインダクタ／エミッタペア（対）は大量の熱エネルギーを発生させる電圧で作動される。熱はパラメトリックエミッタの性能に不都合な影響も及ぼす可能性がある。
【００６４】
少なくともこれらの理由のために、ほとんどの従来型パラメトリックサウンドシステムにおいては、インダクタはエミッタから物理的に相当の距離を隔てて配置される。この方策は上述した問題に対処するが、別の問題を提起する。インダクタからエミッタに運ばれるこの信号は比較的高い電圧（１６０Ｖピークツーピーク電圧以上程度）になり得る。よって、インダクタをエミッタに接続する配線形態は高電圧利用形態用として評価されなければならない。また、設置形態によっては配線の長い距離も必要になる可能性があるが、これは費用が高くなり、危険でもあり、パラメトリックエミッタシステムに無関係な通信システムを妨害する可能性もある。
【００６５】
インダクタ５４（図５Ａと図５Ｂの形態で示されるような構成要素として含まれる）がポットコアインダクタ（ｐｏｔ  ｃｏｒｅ  ｉｎｄｕｃｔｏｒ）を使用して利用できる。ポットコアインダクタは、典型的にはフェライト材料で形成されているポットコア内に収容される。これでインダクタの配線と、インダクタによって発生される磁場が閉じ込められる。典型的には、ポットコアは、インダクタの配線を収容できるキャビティ（空洞部）６０を画定する２つのフェライト半分体５９ａ、５９ｂを含む。図６参照。エアギャップＧがコアの遮蔽性能に影響を及ぼさずにポットコアの透過率を増加させるために含まれることができる。従って、エアギャップＧのサイズを増加させることで、ポットコアの透過率は増加する。しかし、エアギャップの増加には、所望量のインダクタンスを達成するためにポットコア内に保持されるインダクタ内での巻数を増加させることも必要とする。よって、エアギャップは、コアの遮蔽特性を犠牲にすることなく透過率を増加させ、同時的にポットコアインダクタで発生される熱を減少させることができる。
【００６６】
図５Ａと図５Ｂに図示する実施例では双巻線（ｄｕａｌ−ｗｉｎｄｉｎｇ）昇圧トランスが使用されている。しかし、一般的にオートトランス（単巻トランス）形態と呼ばれるものにおいては第１巻線５５と第２巻線５６は組み合わせが可能である。第１巻線と第２巻線のいずれか一方または両方はポットコア内に内蔵されることができる。
【００６７】
前述したように、インダクタ５４とエミッタに並列な共振回路を達成することが望ましい。また、インダクタ・エミッタペアのインピーダンスをアンプに期待されるインピーダンスとマッチさせることも望ましい。それには一般的にインダクタ・エミッタペアのインピーダンスを増加させる必要がある。インダクタを物理的にエミッタの付近に配置した状態で、これらの目的を達成することも望ましいであろう。従って、実施態様によっては、ポットコアのエアギャップは、第１巻線５５内の巻数がアンプに期待されるインピーダンス負荷を提供するように選択される。このようにして、回路の各ループは増加した効率レベルで作動されるように調律できる。ポットコア内のエアギャップを増大させることで、インダクタ要素５６の望ましいインダクタンスを変化させずに（変化させればエミッタループの共振に影響を及ぼしたであろう）インダクタ要素５５内の巻数を増加させる性能を提供する。これによって、インダクタ要素５５内の巻数をアンプに期待されるインピーダンス負荷とマッチするように調整する性能が提供される。
【００６８】
エアギャップのサイズを増加させることの追加的な利益は、ポットコアの物理的サイズを縮小できることである。よって、エミッタとの共振を発生させるための同じインダクタンスを提供しつつ、小型化されたポットコアトランスが利用できる。
【００６９】
昇圧トランスの使用はこのシステムに追加の利点を提供する。トランスはアンプからエミッタの方向に“昇圧”するので、当然ながらトランスはエミッタからアンプの方向に“降圧”することになる。よって、それ以外の場合にはインダクタ／エミッタペアからアンプへ移行するであろう不都合なフィードバックは降圧プロセスによって低減され、アンプおよびシステム全体に対するそのような作用の不都合な影響を最小化する（特に、アンプによって経験されるインピーダンス負荷に影響を及ぼす可能性があるインダクタ／エミッタペアの変化が低減される）。
【００７０】
１実施態様においては、第１巻線および第２巻線には３０／４６エナメル被覆リッツ（Ｌｉｔｚ）線が使用される。リッツ線は個別に絶縁されて撚られた、あるいは織り合わされた多数の細撚線を含んでいる。リッツ線は複数の細くて個別に絶縁された導線を並列に使用する。個別の導線の径は動作周波数での表皮厚未満に選択され、細撚線は実質的な表皮効果損失を受けない。従って、リッツ線はさらに高い周波数でさらに向上した性能を発揮する。
【００７１】
図面には示されていないが、バイアス電圧が十分に高い場合には、放電が導電シート４５、４６間に発生し得る。この放電は中間絶縁層を通じて、およびエミッタの縁部（絶縁層の外側縁部周囲）にて発生し得る。従って、絶縁層４７は縁部（端部）放電を防止するために長さと幅において導電領域４５ａ、４６ａよりも大きく作製できる。同様に、導電シート４６が絶縁基材上の金属化フィルムである場合には、導電シート４６は、導電シート４６の縁部から導電シート４５の縁部までの距離を増加させるために、長さと幅で導電シート４５よりも大きく作製できる。
【００７２】
抵抗Ｒ１を共振回路のＱ値を低下あるいは平坦化させるべく含むことができる。抵抗Ｒ１は全ての場合に必要とされることはなく、負荷としての空気は当然にＱ値を低下させるであろう。同様に、ピークが過度に鋭利になることがないようにインダクタ５４のさらに細いリッツ線もＱ値を低下させ得る。
【００７３】
図７は、ここで説明する技術の１実施例に従った、エミッタと、そのエミッタが採用された付随する（ａｃｃｏｍｐａｎｙｉｎｇ）コンテンツデバイスのスクリーンの分解概略図である。図７に示すように、この実施例ではエミッタ６１は導電シート４５、４６および中間絶縁層４７を含む。このエミッタは、ここで説明するように、絶縁層４７を含まない実施態様を含んだ様々な実施態様に従って構成されている。例えば、導電シート４５、４６は透明シートでよく、それぞれ２つの層である導電層４５ａ、４６ａと基層４６ａ、４６ｂを含むことができる。図示の容易化を図るため、これら別々な層は図示の簡略化のために図７では示されていない。
【００７４】
図７にはエミッタが利用されているスクリーン６０も図示されている。スクリーン６０は、例えばコンテンツデバイスの表示スクリーンでよく、例えばスマートフォン、タブレット、その他のコンテンツデバイスの表示スクリーンでよい。様々な実施態様では、エミッタ６１はデバイスの製造時にスクリーン６０と組み合わせることができる。他の実施態様においては、エミッタ６１は、コンテンツデバイスが製造された後にスクリーン６０に固定されるか組み付けられる。例えば、エミッタ６１はユーザまたは販売業者によってコンテンツデバイスに付け加えられるアフターマーケット製品（購買後製品）として提供できる。さらに別の実施態様では、スクリーン６０には導電領域（例：コーティング）が提供でき、エミッタの基層として使用でき、導電層４５の必要性を排除することができる。
【００７５】
コンテンツデバイスおよび適用形態によっては、エミッタは実際の表示面積（領域）より大きくても小さくても構わない。例えば、コンテンツデバイスによっては、透明スクリーンは、表示領域と、表示領域を包囲する境界との両方を覆うカバープレートを形成するように提供される。従って、そのような適用形態では、エミッタはカバープレートの寸法に合わせたサイズにでき、さらに大きなエミッタ面積を提供することができる。
【００７６】
さらに別の実施態様では、コンテンツデバイスのスクリーン６０は導電ガラス（または他の透明材料）を使用して製作でき、スクリーン６０は導電シート４５として使用できる。特に実施態様によっては、スクリーン６０は、導電層４５ａが利用される基層４５ｂとして使用される。そのような実施態様では、スクリーン６０は、信号リード線をスクリーン６０に取り付ける好適な端子あるいは接点を含むように製作できる。さらに別の実施態様では、エミッタはタッチスクリーン式コンテンツデバイスで利用できるように十分にフレキシブルに形状化できる。例えば、スクリーン６０がタッチスクリーンである場合には、エミッタ６１は、タッチスクリーンディスプレイをユーザに操作させるように十分にフレキシブルな材料を使用して製作できる。
【００７７】
前述したように、ここで開示するエミッタは様々な異種コンテンツデバイスの任意のものに適用できるように設計できる。図８Ａはスマートフォンのスクリーンに適用されたエミッタの１実施例（例：エミッタ６１）を図示する概略図である。このような実施例においては、エミッタは音楽および他のメディアオーディオを流すように利用でき、加えてスマートフォンおよびその関連アプリによって発生されるリングトーン（ｒｉｎｇ  ｔｏｎｅｓ）、警報その他の警告を流すように利用できる。他のデバイスの場合と同様に、エミッタ６１は従来のオーディオスピーカに加えて、あるいはその代用として使用できる。
【００７８】
図８Ｂはフラットスクリーンテレビのスクリーンに適用されているエミッタの１実施例（例：エミッタ６１）を図示する概略図である。このような実施例では、エミッタはテレビの視聴者に対してコンテンツオーディオ（例：テレビオーディオ）を流すように設計できる。図８Ｃは携帯ＧＰＳ装置のスクリーンに適用されているエミッタの１実施例（例：エミッタ６１）を図示する概略図である。そのような適用形態においては、エミッタは警報を流してユーザに警告することができ、可聴ターンバイターンあるいは同様なインストラクションを提供するように設計できる。もちろん、音楽あるいは他のコンテンツが携帯ＧＰＳ装置で利用可能であれば、エミッタはその情報もユーザに流すように設計できる。
【００７９】
図８Ｃは携帯ナビゲーション装置のスクリーンに適用されているエミッタの１実施例（例：エミッタ６１）を図示する概略図である。そのような実施例では、エミッタはナビゲーション指示および他のサウンド（例：ターンバイターン指示、チャイム、警報、低電池残量メッセージ、等々）を再生するように設計できる。図８Ｄはデジタルカメラに適用されているエミッタの１実施例（例：エミッタ６１）を図示する概略図である。そのような実施例では、エミッタはカメラ警戒音およびサウンド（例：メニュー確認、擬似シャッター音効果、低電池残量メッセージ、等々）を再生するように設計できる。図８Ｅは手持ちゲーム装置のスクリーンに適用されているエミッタの１実施例（例：エミッタ６１）を図示する概略図である。そのような実施例においては、エミッタはユーザに対してゲームサウンド（例：ゲームオーディオサウンドトラック、ゲームサウンドエフェクト、可聴インストラクション、等々）およびゲームシステム警告およびメッセージを流すように設計できる。
【００８０】
図８Ａから図８Ｅで図示されているコンテンツデバイスを含んだコンテンツデバイスは、デバイスに電力を供給する１以上の電力供給手段と、電力供給手段から電力を受領し、オーディオコンテンツを表す電気信号および表示コンテンツを表す電気信号を発生させるために結合されているコンテンツエンジンとを含むように設計できる。例えばスマートフォンの場合には、電力供給手段は典型的には充電式バッテリであり、コンテンツエンジンは、例えばメディアプレーヤアプリケーション、ゲームアプリケーション、電話およびディレクトリアプリケーション等々である１以上のアプリケーションを実行するように設計されているプロセッサを含んでいる。ＲＡＭ、ＲＯＭおよび他のメモリを、アプリケーション、アプリケーションコンテンツ（例：オーディオおよびビデオファイル）、プログラムインストラクション等々を保存するために含むことができる。そのようなプロセッサの１例は、クアルコム社から入手が可能なＳｎａｐｄｒａｇｏｎＴＭ（スナップドラゴンＴＭ）ファミリのプロセッサである。
【００８１】
コンテンツデバイスは典型的には、例えばプラズマ、ＬＣＤ、ＬＥＤ、ＯＬＥＤその他のディスプレイも含む。ディスプレイは従来型スクリーンあるいはユーザの入力を受領するためのタッチ感応式スクリーンを含むことができ、ユーザにカラー静止像またはモーションビデオコンテンツを提供できる。ディスプレイはコンテンツエンジンに結合でき、表示コンテンツを表す電気信号を受領し、表示コンテンツの視覚表示を発生させるように設計できる。スマートフォンの実施例ではさらに、ディスプレイは、例えばエントリスクリーン、ビデオコンテンツ、ゲームスクリーン等々のアプリケーション視覚情報を表示できる。保護カバーをディスプレイ上に含むことができ、ガラス、アクリル樹脂、プレキシグラス、レキサン、あるいは他の透明材料から作製できる。透明エミッタは保護カバー上に、例えば保護カバーのオーバレイとして設置できる。あるいは、エミッタを保護カバーの代わりに、あるいはスクリーン自体の代わりに提供することができる。
【００８２】
これら、および他の適用形態において、超音波エミッタは超音波信号の指向性の利点を利用できるように設計でき、超音波オーディオコンテンツを意図するリスナーまたはデバイスのユーザに方向付けるように設計できる。従って、そのデバイスは、混雑した場所あるいは他の公共の場であっても思い通りに使用できる。エミッタは、さらに広い指向性を有して指向性が弱められたサウンドをリスナーに提供するように形状化または設計できる。これは、例えば凸状またはマルチアングルディスプレイを使用することで達成できる。
【００８３】
上述の実施態様では、エミッタは、オーディオの単一チャンネルのための超音波キャリアオーディオ信号を提供するように図示および説明されている。他の実施態様では、エミッタは複数のオーディオチャンネルを扱うように設計できる。例えば１実施態様では、それぞれオーディオチャンネル（例：左側オーディオチャンネルと右側オーディオチャンネル）に接続された２つの別のエミッタが利用できる。図９は、２つのオーディオチャンネルのために超音波キャリアオーディオを提供するように設計されているデュアルチャンネルエミッタの１実施例による設計形態を図示する概略図である。図９で示す実施例では、左側エミッタ６１と右側エミッタ６１Ｂが提供されており、絶縁バリア６２で分離されている。絶縁バリア６２は左側エミッタと右側エミッタとの間に非導電性領域を提供し、左側エミッタと右側エミッタとを電気的に分離しており、それぞれのエミッタ上に提供されているキャリアは互いを干渉しない。様々な実施態様においては、バリア６２は導電層４５ａ、４６ａの非導電領域でよい。他の実施態様では絶縁領域またはバリア６２は左側エミッタと右側エミッタとの間に配置されたガラス、アクリル樹脂、または他の類似した絶縁材材料でよい。２つのエミッタ６１Ａ、６１Ｂがこの実施例では説明されるが、この明細書を読んだこの分野の専門家であれば、どのように２を超える３以上のエミッタが同様に作製できるかを理解するであろう。
【００８４】
他の実施態様では、２つのエミッタ間に物理的に分断する絶縁領域を加えるのではなく、導電シート４５と４６を非導電性中央領域で作製することができる。例えば、ドーピングまたは他の同様な処理が実行され、導電シートに導電性を付与する場合には、２以上の導電領域がそれぞれの導電シート内に提供されるように、そのようなドーピングまたは他のプロセスが、それらシートに選択的に適用できる。
【００８５】
オーディオ信号に空間的特徴を付与すべく、オーディオ変調超音波キャリア信号を異なる複数方向に方向付けるため、互いに異なる角度に配向されるよう、そのような複数エミッタ形態のエミッタはコンテンツデバイス上に配置できる。手持コンテンツデバイスのためであっても、１方のオーディオ変調超音波キャリア信号をリスナーの左耳に方向付け、他方のオーディオ変調超音波キャリア信号をリスナーの右耳に方向付けるには２つのエミッタ間に、ほんの小さな角度差が必要とされるだけである。
【００８６】
ここに開示されている様々なエミッタを構成する導電層および非導電層はフレキシブルな材料から作製できる。例えば、ここで説明する実施態様は導電層を形成するためにフレキシブルな金属化フィルムを使用し、抵抗層を形成するのに非金属化フィルムを使用する。これら材料のフレキシブルな性質のおかげで、それらは望む形態と形状に成型加工することができる。
【００８７】
例えば図１０Ａで図示するように、それらの層は弓形形態で基材７４に適用できる。図１１Ａは、弓形形態に形成されているエミッタの斜視図を提供している。この実施例では、バッキング材料７１は弓形形態に成型または形成されており、エミッタ層７２がそこに取り付けられている。１層７２が図１１Ａと図１１Ｂに図示されているが、層７２は導電シート４５と４６およびそれらの間に配置されるスペーサまたは絶縁体を含むことができる。他の実施態様では、例えば円筒状（図１０Ｂおよび図１１Ｂ）および球状が含まれる。この明細書を読んだこの分野の専門家には明らかであろうが、ここに開示する技術によって、超音波エミッタをその上に形成するバッキング材料あるいは基材の他の形状も利用することができる。
【００８８】
導電シート４５、４６は金属化フィルムを使用しても作製できる。これらにはマイラ、カプトン、および他の同様なフィルムが含まれる。例えば、実施態様によっては、層４５はガラス材料で作製され、導電シート４６は、マイラのような金属化フィルムで作製される。そのような金属化フィルムは実質的に完全な透明性から不透明性に至るまでの様々な程度の透明性で入手できる。振動層（例：導電シート４６）はマイラまたは他の同様なフレキシブルフィルムで作製されるが、キャリア周波数で振動できるように両主要寸法方向には理想的な引張状態にある。同様に絶縁層４７は透明フィルムで作製できる。従って、ここで開示するエミッタは透明材料で作製でき、透明エミッタとすることができる。そのようなエミッタは超音波スピーカを形成すべく様々な物体上に配置されるように設計できる。例えば、１つ、またはペア（または３以上）の透明エミッタを透明フィルムとしてテレビスクリーン上に設置できる。これは有利であり得る、なぜならテレビがますます薄型化されるにつれて、大型スピーカを配置する空間的余裕がますます減少するからである。エミッタをテレビスクリーン上あるいは他のコンテンツデバイスまたはディスプレイ装置上に配置することは、追加のキャビネットスペースを要求せずにスピーカを配置することを可能にする。別例として、エミッタを写真フレーム上または電子写真フレーム上に配置し、写真を超音波エミッタに変換することができる。また、金属化フィルムは高反射性であることもでき、超音波エミッタを鏡にすることができる。透明エミッタは、例えば自動車ミラー、ダッシュボードパネル、その他の車両表面部、従来のオーブン、マイクロ波オーブン、トースタオーブン、食器洗い機、冷蔵庫、等々である器具の扉または窓、デスクトップ電話、肉体フィットネス若しくは運動器具、デパート、スーパー、飲食店および他の小売店のショーケースのようなショーケース、オシロスコープ、および他の診断または試験装置、医療装置、プリンターおよびファックス、等々のような装置のスクリーンのような多数の他の機器にも適用できる。超音波伝送の指向性によって、上述のように装備された多数の機器やデバイスは相互に近接して動作することができ、それぞれのエミッタは異なるリスナー方向に方向付けられ、相互に干渉することもない。
【００８９】
本発明の様々な実施態様が説明されてきたが、それらは例示としてのみ提供されており、限定を意味しないことは理解されるべきである。同様に、様々な概略図が本発明の例示的構造または他の設計形態を図示しているが、それらは本発明に含まれることができる本発明の特徴および機能の理解を助ける目的で提供されている。本発明はそれら構造または設計形態に限定されるものではなく、所望の特徴は様々な別構造および別設計形態で実施が可能である。事実、この分野の専門家には、本発明の所望の特徴を実現するには、どのように代用の機能的、論理的または物理的な要素および設計形態が実施されるかは明らかであろう。また、ここで説明するもの以外の多数の異なる構成のモジュールネームが様々な要素に適用が可能である。さらに、フロー図、オペレーション的記述および方法の請求項に関して、それらステップが提供されている順序は、そのように特記されていない限り、同じ順序でそれら記載されている機能を実行するように様々な実施態様が実行されることを必須とするものではない。
【００９０】
本発明は様々な例示的実施態様および実施形態の観点で説明されているが、１以上の個別の実施態様で記載されている様々な特徴、形態、および機能性は、それらの適用性において説明されている特定の実施態様に限定されることはなく、そのような実施態様が説明されていようがいまいが、また、そのような特徴が説明されている実施態様において提供されていようがいまいが、単独または様々な実施態様にて、本発明の１以上の実施態様に適用が可能である。よって本発明の範囲とスコープは前述の例示的実施態様に限定されない。
【００９１】
この明細書で使用されている用語と言い回し、およびそれらの変形は、特記されていないかぎり、限界が不定であり、非限定的である。その例として、用語“ｉｎｃｌｕｄｉｎｇ（含む）”は“ｉｎｃｌｕｄｉｎｇ，ｗｉｔｈｏｕｔ  ｌｉｍｉｔａｔｉｏｎ（限定なく含む）”等を意味するものと解釈されるべきであり、“ｅｘａｍｐｌｅ（例）”は説明されている物件の例示物を提供するために使用されており、その枯渇も限定的リストも意味せず、用語“ａ”または“ａｎ”は“ａｔ  ｌｅａｓｔ  ｏｎｅ（少なくとも１つ）”、“ｏｎｅ  ｏｒ  ｍｏｒｅ（１以上）”等を意味し、“ｃｏｎｖｅｎｔｉｏｎａｌ（従来）”、“ｔｒａｄｉｔｉｏｎａｌ（伝統的）”、“ｎｏｒｍａｌ（通常）”、“ｓｔａｎｄａｒｄ（標準）”、“ｋｎｏｗｎ（知られた）”等々は、所定の期間に用語を限定するか、あるいは所定の時点で利用可能な物件に限定するものと解釈されるべきであり、また、現在あるいは将来の１時点で利用可能または知られた従来、伝統的、通常または標準技術を含んでいると解釈されるべきである。同様に、この技術分野の専門家には明白であろう技術に言及されるときは、そのような技術は、現在および未来の１時点で、この分野の専門家にとって明白または知られた技術を含むものである。
【００９２】
“ｏｎｅ  ｏｒ  ｍｏｒｅ（１以上）”、“ａｔ  ｌｅａｓｔ  ｏｎｅ（少なくとも１つ）”、“ｂｕｔ  ｎｏｔ  ｌｉｍｉｔｉｅｄ  ｔｏ（限定されない）”等の表現は場合によっては、そのような広い表現が不在である場合に、それより狭い場合が意図されているか必要とされると解釈されるべきではない。“モジュール（ｍｏｄｕｌｅ）”なる用語の使用は、モジュールの一部として説明または請求されている部材または機能性が共通のパッケージに全て設計形態化されることを必ずしも意味してはいない。事実、モジュールの様々な部材の任意のもの、または全ては、コントロールロジックであろうが他の構成要素であろうが、単一パッケージに組み合わせか、別々に維持することができ、さらに複数の組み合わせ、またはパッケージで提供することができ、または複数の位置で提供することができる。
【００９３】
加えて、ここで解説する様々な実施例は例示的なブロック図、フローチャート、等々の図面によって説明されている。この明細書を読んだこの分野の専門家であれば、図示の実施例およびそれらの変形が図示の実施例に限定されることなく実行可能であることを理解するであろう。例えば、ブロック図およびそれらの説明は、特定の構造または形態を必須とするものであると解釈されるべきではない。
【図１】
2016539549.tif 000003
【図２】
2016539549.tif 000004
【図３Ａ】
2016539549.tif 000005
【図３Ｂ】
2016539549.tif 000006
【図３Ｃ】
2016539549.tif 000007
【図４】
2016539549.tif 000008
【図５Ａ】
2016539549.tif 000009
【図５Ｂ】
2016539549.tif 000010
【図６】
2016539549.tif 000011
【図７】
2016539549.tif 000012
【図８Ａ】
2016539549.tif 000013
【図８Ｂ】
2016539549.tif 000014
【図８Ｃ】
2016539549.tif 000015
【図８Ｄ】
2016539549.tif 000016
【図８Ｅ】
2016539549.tif 000017
【図９】
2016539549.tif 000018
【図１０Ａ】
2016539549.tif 000019
【図１０Ｂ】
2016539549.tif 000020
【図１１Ａ】
2016539549.tif 000021
【図１１Ｂ】
2016539549.tif 000022
【国際調査報告】
2016539549.tif 000023
2016539549.tif 000024
2016539549.tif 000025